(57)【要約】      （修正有）【課題】簡単、確実及び安定に飲料容器を保持することが可能な飲料容器の後付けグリップを提供する。【解決手段】ビールや清涼飲料等の飲料を収容し、その天蓋に飲み口を形成するためのタブがもうけられた飲料容器に対し、その上部と下部との間に後付けで装着される後付けグリップ１は、上部に係合片１６を有して使用者により把持される把持部１１、把持部１１の下部に設けられて底面の奥側の一部に二段底部１９が設けられていると共に飲料容器を載置する受け部１２、受け部１２に載置された飲料容器の上部及び外周の一部に当接するガイド部１３を有する。飲料容器の下部を把持部１１に向けて受け部１２に入れ、更に二段底部１９に乗り上げさせると、飲料容器の二重巻締部に係合片１６が係合し、後付けグリップ１は、飲料容器に簡単、確実及び安定に装着される。【選択図】図１
2012091856.tif 000002
【特許請求の範囲】
【請求項１】
内部に飲料を収容してなる筒形形状の飲料容器の天蓋の周縁部と底部との間に後付けによって装着される飲料容器の後付けグリップにおいて、
使用者によって把持される長さを有して略Ｃ字状に形成された把持部と、
前記把持部の下部側から突出するようにして設けられ、前記飲料容器の底部を載置する受け部と、
前記把持部の上部を支点として揺動するキャッチレバーと、
前記キャッチレバーの先端側に形成され、前記飲料容器の天蓋の周縁部と係合する係合片と、
前記キャッチレバーと前記把持部の上部との間に配置されて前記係合片を前記飲料容器側へ付勢する弾性部材と、
を備えてなることを特徴とする飲料容器の後付けグリップ。
【請求項２】
請求項１に記載の飲料容器の後付けグリップにおいて、
前記受け部は、前記飲料容器の載置面のうち前記把持部と前記受け部との連結部分側の一部がそれ以外の載置面よりも僅かに高く形成された厚みの異なる二段形状とされていることを特徴とする飲料容器の後付けグリップ。
【請求項３】
請求項１又は２に記載の飲料容器の後付けグリップにおいて、
前記把持部と前記受け部との連結部分から立設され、飲料容器に取り付けていない状態においてその先端部が前記キャッチレバーと当接して前記弾性部材によって付勢された当該キャッチレバーを支持する支持柱を備えてなることを特徴とする飲料容器の後付けグリップ。
【請求項４】
請求項１から３のいずれか１項に記載の飲料容器の後付けグリップにおいて、
前記係合片は、前記飲料容器の天蓋側に向かって突出した突出部を備え、前記突出部によって前記飲料容器の二重巻締部と係着可能とされたことを特徴とする飲料容器の後付けグリップ。
【請求項５】
請求項１から４のいずれか１項に記載の飲料容器の後付けグリップにおいて、
前記受け部に載置された前記飲料容器の側面を支持する帯形状のガイド部が設けられていることを特徴とする飲料容器の後付けグリップ。
【請求項６】
請求項１から５のいずれか１項に記載の飲料容器の後付けグリップにおいて、
前記ガイド部は、前記受け部に対して同一中心線上に配置され、その長さが前記飲料容器の側面の半周以上を保持する長さを有することを特徴とする飲料容器の後付けグリップ。
【請求項７】
請求項１から６のいずれか１項に記載の飲料容器の後付けグリップにおいて、
前記ガイド部は、前記飲料容器を挿入可能な内径によるリング形状を成し、前記受け部に対して同一中心になるように配置されていることを特徴とする飲料容器の後付けグリップ。
【請求項８】
請求項１から７のいずれか１項に記載の飲料容器の後付けグリップにおいて、
前記受け部１２の内側面には前記飲料容器の側面側に向かって僅かに突出したリブを設け、前記リブによって前記飲料容器を保持することにより、前記受け部と前記飲料容器との間にスリット状の隙間を形成し、それによって前記飲料容器の側面を伝わって流れ落ちてきた水滴を毛細管現象によってスリット内に吸引して外部に漏れ出さないようにしたことを特徴とする飲料容器の後付けグリップ。
【請求項９】
請求項１から８のいずれか１項に記載の飲料容器の後付けグリップにおいて、
前記把持部側の近傍に位置する前記受け部の底面の一部を斜めにカットした傾斜面を設け、前記飲料容器の中身が空乃至少なくなった場合に前記傾斜面によって起立状態を保持させることにより転倒を防止したことを特徴とする飲料容器の後付けグリップ。
【発明の詳細な説明】
【技術分野】
【０００１】
本発明は、ビールや清涼飲料等の飲料を収容した飲料容器に後付けで取り付けられるグリップに関し、特に、飲料容器に簡単、確実に且つ安定して取り付けることができ、よく冷えた飲料容器に直接手を触れることなく飲料を飲むことが可能な飲料容器の後付けグリップに関する。
【背景技術】
【０００２】
夏期には、よく冷えたビールや清涼飲料等が好まれるが、例えばビールの場合、その冷却温度は夏場で４〜６℃、冬場で６〜８℃が飲み頃とされている。この温度は気温に対する相対温度としてもかなりの低温であり、冷えている飲料容器、特に、缶入りの場合には冷えた缶を素手で長時間持ち続けることは耐え難いし、缶表面に生じた水滴が付着して手やテーブルを濡らして不快になることがある。これを解決すべくジョッキ等を用いようとすると、別途それを用意しなければならないうえ、使用後には洗浄する必要があり面倒でもある。このことは清涼飲料等においても同様である。そのため、後付けで飲料容器であるカンに取り付けられるようにした持ち手が実開昭５５−１２３４４５（特許文献１）に開示されている。
【０００３】
実開昭５５−１２３４４５に開示された持ち手１００は、図６に示すように、ビール等の飲料容器（缶）５０に直接取り付けられて使用されるものである。持ち手１００は、全体の側面形状が「Ｊ」字形をしており、概略として、一端（図６の左端）が飲料容器５０の上縁部に係着される係合部１０４を備えた水平部１０１と、水平部１０１の他端（図６の右端）と連結されると共に下端側に押圧部１０６が設けられて飲料容器５０の底面に係着される把手部１０２とを有して構成され、全体として弾性を有する樹脂材等によって形成されている。水平部１０１の一端に設けられた係合部１０４は、開口が下方に向かうようにして溝１０３が穿設されており、この溝１０３が飲料容器５０の上端の周縁（二重巻締部）１０５に上方から嵌合するようになっている。また、把手部１０２は板状とされ、その上部側は専ら手で握る部分となり、下部側は緩い傾斜をもって飲料容器５０の底面まで延びている。そして、把手部１０２の下端側は所定の角で曲げ加工が施されており、その先端部はさらに飲料容器５０の底面１０７に圧接可能に折り曲げられた押圧部１０６となっている。
【０００４】
以上の構成による持ち手１００を飲料容器５０に取り付ける場合、係合部１０４を飲料容器５０の周縁１０５に外嵌させた後、把手部１０２の弾性変形を利用して押圧部１０６を飲料容器５０の底面１０７に当接させる。この際、持ち手１００が有する飲料容器５０を上下より挾む力によって上下方向から飲料容器５０を挾持する。一方、持ち手１００を飲料容器５０より取り外すには、把手部１０２の弾性変形を利用し、先ず、押圧部１０６を底面１０７より離脱させ、ついで係合部１０４を周縁１０５より取り外す。
【先行技術文献】
【特許文献】
【０００５】
【特許文献１】実開昭５５−１２３４４５号公報
【発明の概要】
【発明が解決しようとする課題】
【０００６】
しかしながら、上述した従来の持ち手は、上下２点で缶を支持する構成であるため、使用中に左右に動き易く、また、二点保持であるため、飲料容器から外れ易いという問題がある。
【０００７】
そこで、本発明は、かかる問題点に鑑みなされたもので、飲料容器に対する係着及び保持を点接触にしないことで、簡単、確実及び安定に飲料容器を保持することが可能な飲料容器の後付けグリップを提供することを目的とする。
【課題を解決するための手段】
【０００８】
上記課題を解決するために請求項１に記載の発明は、内部に飲料を収容してなる筒形形状の飲料容器の天蓋の周縁部と底部との間に後付けによって装着される飲料容器の後付けグリップにおいて、使用者によって把持される長さを有してＣ字状に形成された把持部と、把持部の下部側から突出するようにして設けられ、飲料容器の底部を載置する受け部と、把持部の上部を支点として揺動するキャッチレバーと、キャッチレバーの先端側に形成され、飲料容器の天蓋の周縁部と係合する係合片と、キャッチレバーと把持部の上部との間に配置されて係合片を飲料容器側へ付勢する弾性部材とを備えてなることを特徴とする。
【０００９】
上記課題を解決するために請求項２に記載の本発明は、請求項１に記載の飲料容器の後付けグリップにおいて、受け部は、飲料容器の載置面のうち把持部と受け部との連結部分側の一部がそれ以外の載置面よりも僅かに高く形成された厚みの異なる二段形状とされていることを特徴とする。
【００１０】
上記課題を解決するために請求項３に記載の本発明は、請求項１又は２に記載の飲料容器の後付けグリップにおいて、把持部と受け部との連結部分から立設され、飲料容器に取り付けていない状態においてその先端部がキャッチレバーと当接して弾性部材によって付勢された当該キャッチレバーを支持する支持柱を備えてなることを特徴とする。
【００１１】
上記課題を解決するために請求項４に記載の本発明は、請求項１から３のいずれか１項に記載の飲料容器の後付けグリップにおいて、係合片は、飲料容器の天蓋側に向かって突出した突出部を備え、突出部によって飲料容器の二重巻締部と係着可能とされたことを特徴とする。
【００１２】
上記課題を解決するために請求項５に記載の本発明は、請求項１から４のいずれか１項に記載の飲料容器の後付けグリップにおいて、受け部に載置された飲料容器の側面を支持する帯形状のガイド部が設けられていることを特徴とする。
【００１３】
上記課題を解決するために請求項６に記載の本発明は、請求項１から５のいずれか１項に記載の飲料容器の後付けグリップにおいて、ガイド部は、受け部に対して同一中心線上に配置され、その長さが飲料容器の側面の半周以上を保持する長さを有することを特徴とする。
【００１４】
上記課題を解決するために請求項７に記載の本発明は、請求項１から６のいずれか１項に記載の飲料容器の後付けグリップにおいて、ガイド部は、飲料容器を挿入可能な内径によるリング形状を成し、受け部に対して同一中心になるように配置されていることを特徴とする。
【００１５】
上記課題を解決するために請求項８に記載の本発明は、請求項１から７のいずれか１項に記載の飲料容器の後付けグリップにおいて、受け部１２の内側面には飲料容器の側面側に向かって僅かに突出したリブを設け、リブによって飲料容器を保持することにより、受け部と飲料容器との間にスリット状の隙間を形成し、それによって飲料容器の側面を伝わって流れ落ちてきた水滴を毛細管現象によってスリット内に吸引して外部に漏れ出さないようにしたことを特徴とする。
【００１６】
上記課題を解決するために請求項９に記載の本発明は、請求項１から８のいずれか１項に記載の飲料容器の後付けグリップにおいて、把持部側の近傍に位置する受け部の底面の一部を斜めにカットした傾斜面を設け、飲料容器の中身が空乃至少なくなった場合に傾斜面によって起立状態を保持させることにより転倒を防止したことを特徴とする。
【発明の効果】
【００１７】
本発明に係る飲料容器の後付けグリップによれば、飲料容器を簡単、確実及び安定に保持することができるという効果がある。
【００１８】
また、受け部の表面について、飲料容器の載置面のうち把持部と受け部との連結部分側の一部がそれ以外の載置面よりも僅かに高く形成された厚みの異なる二段形状としたので、缶の底部が二段底の高い方に当接して係合片に係止されるような動きになるので缶をグリップに取り付ける際に缶の傾斜が少なくなり、係合片の高さ（長さ）を短くすることができるという効果がある。
【００１９】
さらに、受け部の内側面に水漏れ防止手段を設けたので飲料を飲むために傾斜させたばいにも飲料容器の側面を流れて受け部に溜まった水滴が外部に漏れないという効果がある。
【００２０】
また、受け部の底面の一部に傾斜面を設けたので、飲料を飲み終えて飲料容器が空になった場合や中身の飲料が少なくなった場合でも当該傾斜面がテーブル面等と当接することで把持部の重さによるバランスの崩れによって転倒することなく起立状態を保持させることができると共に、その中身が既に空になっていることを他者に知らせることができるという効果がある。
【図面の簡単な説明】
【００２１】
【図１】本発明に係る飲料容器の後付けグリップの好ましい一実施形態を示す斜視図である。
【図２】飲料容器に装着した状態の後付けグリップを示す正面図である。
【図３】図２に示した後付けグリップの平面図及び側面図である。
【図４】（ａ）は受け皿に設けられた傾斜面を示す側面図、（ｂ）はその底面図である。
【図５】本発明に係る飲料容器の後付けグリップの第二の実施形態を示す斜視図である。
【図６】従来の飲料容器の後付けグリップを示す正面図である。
【発明を実施するための形態】
【００２２】
［第一の実施形態］
以下、本発明に係る飲料容器の後付けグリップについて、好ましい一実施形態に基づいて詳細に説明する。図１は、本発明に係る飲料容器の後付けグリップの実施形態を示す斜視図、図２は、缶に装着した状態の後付けグリップを示す正面図、図３（ａ）は、図２に示す後付けグリップの平面図、図３（ｂ）は、図２に示す後付けグリップの側面図である。
【００２３】
[後付けグリップの構成]
後付けグリップ１は、概略として、例えば、樹脂成形によって略Ｃ字形状を有して形成され、使用者の手によって把持される把持部１１と、この把持部１１の下端に当該把持部１１の長手方向に対して直角方向に一体成形されてビールやジュースなどの清涼飲料等をはじめとする飲料を収容する円筒形状の飲料容器３０が載置される円形状の受け部１２と、Ｕ字状に形成されるとともに開口部を前方側に位置するようにして把持部１１の上端側に取り付けられて受け部１２に載置された飲料容器３０の周囲を保持するガイド板１３と、把持部１１の頂部に設けられた支持部１５を支点として揺動可能に設けられたキャッチレバー１４と、キャッチレバー１４の一端に設けられて受け部１２に載置された飲料容器３０の天蓋の周縁の二重巻締部３５に係着する係合片１６と、キャッチレバー１４の他端と把持部１１の上部との間に配設されて係合片１６を受け部１２方向へ付勢する弾性部材としてのコイルバネ１７と、受け部１２に載置された飲料容器３０の側面に縦に沿うようにして把持部１１の上下端を連結している長板形状の支持柱１８とを備えている。
【００２４】
飲料容器３０としてポピュラーなのは「缶」であり、図２及び図３においては缶ビールを例にして説明する。缶ビールの飲料容器３０である「缶」の上面は、図３（ａ）に示すように、「パーシャルオープンエンド（ＰＯＥ）構造」を有しており、蓋３１の一部に取り付けられたタブ３２及びこのタブ３２の引き方向に蓋３１に円形に切り込まれた楕円形のスコア（切り込み）３３（図３では、既にタブ３２によってスコア３３内が蓋３１から抜けている）を備え、使用者が指でタブ３２を引き起しながら上方向に引っ張ると、タブ３２はスコア３３に沿って蓋３１から分離して先端部が持ち上がり、飲み口３４が形成されるようになっている。尚、蓋の形式には、他にスコア３３の全体が蓋３１から分離される「プルタブ式」やタブが分離されない「スティオンタブ式」等がある。
【００２５】
把持部１１には使用者の手が滑らないように横溝（図１及び図２参照）、凹凸、その他の滑り止め加工が施されていることが望ましい。また、受け部１２は、飲料容器３０の外径（例えば、３５０ｍｌの缶ビールの場合、直径６６ｍｍ）よりやや大きい内径の底面を有し、その周縁は冷えた飲料容器３０の水滴が底面から流れ落ちないように立ち上げられている。さらに、受け部１２は、支持柱１８の下端の近傍が盛り上げられ、段差による二段底部１９が形成されている（図１参照）。この二段底部１９によって受け部１２に差し入れられた飲料容器３０が係合片１６を押し上げるように機能する。したがって、飲料容器３０を後付けグリップ１に取り付ける際に飲料容器３０の底部がまず二段底部１９に当接するので取り付け時における飲料容器３０の傾斜が少なくなり、また二段底部１９の厚み分だけ係合片１６の高さを低く（長さを短く）することが可能となる。
【００２６】
また、受け部１２の内側面には、飲料容器３０の側面側に向かって僅かに突出するようにしてリブ１２ａが設けられている。リブ１２ａは、図示された実施形態ではリブ１２ａは等角度で３箇所に設けられている。もちろんリブ１２ａは３箇所に限定されるものではない。そして、リブ１２ａによって飲料容器３０の側面を保持することで、受け部１２の内側面と飲料容器３０の側面との間に細長いスリット状の隙間が形成される。このスリット状の隙間により、飲料容器３０の側面を伝わって流れ落ちてきた水滴を毛細管現象によってスリット内に吸引して外部に漏れ出すことを防止することができる。
【００２７】
ガイド板１３は、受け部１２に載置された飲料容器３０の横揺れ等を防止できるように、飲料容器３０の外径よりもやや小さい内径の形状を有して形成され、その中心は円形状の受け部１２の中心線上に一致するようにして配置されている。キャッチレバー１４は、その長手方向に対して可撓性を有する軸として機能する支持部１５によってシーソーの様に揺動できるようになっており、更に、コイルバネ１７によって係合片１６を下向きに下げる方向に付勢されている。キャッチレバー１４のコイルバネ１７に対向する上面には、指でキャッチレバー１４を押下したとき、指が滑らないように縞模様の滑り止め２１が設けられている。係合片１６は、キャッチレバー１４に一体成形されていると共に上下方向に対して適度な弾力性を有し、例えばＶ字形状、Ｕ字形状等を成して飲料容器３０の天蓋の二重巻締部３５に係着可能な形状を有している。尚、係合片１６の下面と受け部１２の上面との間の距離は、飲料容器３０の高さ（３５０ｍｌの缶ビールの場合、１３２ｍｍ）程度にする。
【００２８】
また、把持部１１側の近傍に位置する受け部１２の底面の一部を斜めにカットした傾斜面１２ｂを設けることで、飲料容器３０の中身が無くなって空になった場合乃至は少なくなった場合にこの傾斜面１２ｂによって起立状態を保持させることにより飲料容器３０を保持した状態の後付けグリップ１が転倒するのを防止することができる。受け部１２の底面の一部を斜めにカットして傾斜面１２ｂを設けることで設置面の形状を台形形状とすることができるので安定性が増すことになる。尚、傾斜面１２ｂと共に、把持部１１の下部側面の一部も斜めにカットした傾斜面１１ｂを設け、受け皿１２の傾斜面１２ｂと把持部１１の傾斜面１１ｂとが一直線となるように形成すれば、より安定性をアップさせることができる。これにより、飲料を飲み終えて飲料容器３０が空になった場合等でも傾斜面１２ａがテーブル面等と当接することで把持部１１の重さによるバランスの崩れによって転倒することなく、しっかりと起立状態を保持させることができると共に、その中身が既に空になっていることを他者にアピールすることができる。
【００２９】
[後付けグリップの着脱方法]
次に、上述した後付けグリップ１の飲料容器３０に対する着脱方法について説明する。まず、図１に示す右方向から、飲料容器３０を縦位置にしたまま、その下部を後付けグリップ１の受け部１２内上に入れ、飲料容器３０を図１の左側へ移動させる。この操作により、飲料容器３０の上部側面がガイド板１３の内面に当接する。また、飲料容器３０が押し込まれる過程で、飲料容器３０の底面の奥側（図１の左側）が受け部１２の二段底部１９に当接する。これによって飲料容器３０は受け部１２の二段底部１９によって支持されるので受け部１２の底面の位置よりも僅かに持ち上げられた状態で受け部１２内に収容される。これと同時に、飲料容器３０の上縁部がＶ字状の係合片１６の先端側の内側面をスライドしながら下方向に案内され、係合片１６のＶ字状の突出部が二重巻締部３５に係着する。飲料容器３０の底部を二段底部１９に乗り上げさせた状態で後付けグリップ１を取り付けると、二段底部１９が存在しない状態の受け部１２の場合と比べて飲料容器３０の天蓋の傾きが小さくなるので係合片１６の高さを低く抑えることができる。
【００３０】
そして、係合片１６はコイルバネ１７によって強く押し下げられているため、飲料容器３０が受け部１２に押し付けられることになり、これによって後付けグリップ１は飲料容器３０に確実に装着され、後付けグリップ１から手を離しても飲料容器３０から外れることはない。ここで、使用者は、飲料容器３０の蓋３１に取り付けられたタブ３２を引き起し、飲み口３４を形成する。そして、ジョッキのように把持部１１を手に持って飲料容器３０の飲み口３４を口へ移動させれば、飲料を飲むことができる。このように、使用者は後付けグリップ１を装着した後は飲料容器３０に直接手を触れることがないので手が冷えることはなく、したがって後付けグリップ１を長時間手に持っていても苦になることはない。また、冷えた飲料容器３０の表面に水滴が付いても受け部１２に流れ落ちるので、手に付着することは無い。
【００３１】
次に、飲料容器３０内の飲料を飲み終わり、後付けグリップ１を取り外したい場合、使用者はキャッチレバー１４の滑り止め２１が形成されている部分を片方の手の指で押下する。この操作により、係合片１６が上昇し、飲料容器３０の二重巻締部３５との拘束が無くなり、他方の手で飲料容器３０を受け部１２から取り出すことができる。
【００３２】
［第一の実施形態の効果］
第一の本実施形態に係る飲料容器の後付けグリップによれば、受け部１２に飲料容器３０を載置し、飲料容器３０の上部はコイルバネ１７の付勢力によって係合片１６が押下され、この係合片１６が飲料容器３０の二重巻締部３５に嵌合するため、後付けグリップ１を安定且つ確実に飲料容器３０に取り付けできるという効果がある。
【００３３】
また、第一の実施形態によれば、受け部１２は、その一部に受け部１２の底面よりも高さのある二段底部１９が設けられているため、係合片１６の形状を小さくすることができ、したかって後付けグリップ１の小型化、デザイン性の向上が図れるという効果がある。
【００３４】
更に、受け部１２は、コースターとして機能するので、後付けグリップ１をテーブル等に置いても、テーブルを濡らすことがないという効果がある。
【００３５】
［第二の実施形態］
図５は、本発明に係る後付けグリップの第二の実施形態を示す斜視図である。本実施形態に係る後付けグリップ３は、第一の実施形態に示したガイド板１３に代えてリング形状にしたガイド部２２とし、さらに、第一の実施形態に示したキャッチレバー１４に代えて中間部に支点を有するＶ字形状のレバー２３を把持部１１の上部に設け、レバー２３の一端にコイルバネ１７を介在させ、他端に飲料容器３０の二重巻締部３５に係合する逆Ｖ字形状の係合片２４を設けたものであり、その他の構成は第一の実施形態と同様である。尚、ガイド部２２の内径は、飲料容器３０が支障なく上下方向に通過できるように、飲料容器３０の外径よりやや大きい値にする。
【００３６】
本実施形態における後付けグリップ３の飲料容器３０への取り付けは、図５に示した構成の後付けグリップ３をテーブル等の上に置き、ガイド部２２の上方に飲料容器３０を位置決めする。このとき係合片２４の先端部が飲料容器３０の側面に接触した状態でスライドさせる。このときコイルバネ１７を押し下げながら飲料容器３０をガイド部２２に挿入する必要はない。そのまま飲料容器３０を下降させながら、飲料容器３０の底面を受け部１２の上面に到達させると飲料容器３０が受け部１２に載置された時点で、コイルバネ１７の力によって係合片２４は飲料容器３０の上縁部へ係着されてグリップ３の取り付けが完了する。一方、後付けグリップ３を飲料容器３０から取り外したい場合、使用者はレバー２３をコイルバネ１７に抗して押し下げながら飲料容器３０を上方へ引き上げ、飲料容器３０をガイド部２２から引き出せばよい。
【００３７】
この第二の実施形態によれば、第一の実施形態に比べて構成の簡略化及び部品点数の低減が図れるため、コストダウンが可能になる。更に、第一の実施形態と同様に、係合片２４を飲料容器３０の二重巻締部３５に係合させることができるため、後付けグリップ３を飲料容器３０に簡単、安定及び確実に取り付けることができるという効果がある。
【００３８】
尚、上記第一の実施形態において、弾性部材としてコイルバネ１７を用いたが、他の弾性部材、例えば、板バネであってもよい。
【００３９】
また、係合片１６は、飲料容器３０の二重巻締部３５に係着させるものとしたが、逆Ｕ字形状とし、これを二重巻締部３５に嵌合させる構成であってもよい。
【００４０】
以上のように、好ましい実施形態について説明したが、本発明に係る飲料容器の後付けグリップは、缶ビールのほか、ジュース、コーヒー、炭酸飲料、清涼飲料等の冷えた飲料の容器の全般に採用可能である。
【符号の説明】
【００４１】
１    後付けグリップ
２    後付けグリップ
３    後付けグリップ
１１  把持部
１２  受け部
１２ａ      リブ
１２ｂ      傾斜面
１３  ガイド板
１４  キャッチレバー
１５  支持部
１６  係合片
１７  コイルバネ
１８  支持柱
１９  二段底部
２１  滑り止め
２２  ガイド部
２３  レバー
２４  係合片
３０  飲料容器
３１  蓋
３２  タブ
３３  スコア
３４  飲み口
３５  二重巻締部
【図１】
2012091856.tif 000003
【図２】
2012091856.tif 000004
【図３】
2012091856.tif 000005
【図４】
2012091856.tif 000006
【図５】
2012091856.tif 000007
【図６】
2012091856.tif 000008